(57)【要約】      （修正有）【課題】安全スイッチの破損する畏れのないミキサーを提供する。【解決手段】電動機５と電動機５の駆動を阻止する常開の安全スイッチ１６を有する本体１と、回転刃２４を有し、本体１上に着脱自在に装着される容器台２と、容器台２に着脱自在に装着されるボトル３と、容器台２に装着され、容器台２とボトル３底面との間をシールするパッキン２９とを備え、容器台２に、ボトル３の着脱操作に応じてボトル３底面により押し下げられる上下動部材３１を設け、本体１には、容器台２に装着されたボトル３により下方に押し下げられた上下動部材３１により操作されて安全スイッチ１６を閉成する容器検知機構８を設け、容器検知機構８は、上下動部材３１下部が当接して上下動する中間操作体１８と、中間操作体１８の上下動に応じて上下動し安全スイッチ１６を操作する操作体２１と、中間操作体１８と操作体２１との間に介在する弾性体２３とから構成する。【選択図】図２
2009112546.tif 000002
【特許請求の範囲】
【請求項１】
電動機と電動機の駆動を阻止する常開の安全スイッチを有する本体と、回転刃を有し、前記本体上に着脱自在に装着される容器台と、該容器台に着脱自在に装着されるボトルと、前記容器台に装着され、容器台とボトル底面との間をシールするパッキンとを備え、
前記容器台に、前記ボトルの着脱操作に応じてボトル底面により押し下げられる上下動部材を設け、
前記本体には、前記容器台に装着されたボトルにより下方に押し下げられた上下動部材により操作されて前記安全スイッチを閉成する容器検知機構を設け、
前記容器検知機構は、前記上下動部材下部が当接して上下動する中間操作体と、該中間操作体の上下動に応じて上下動し前記安全スイッチを操作する操作体と、前記中間操作体と前記操作体との間に介在する弾性体とから構成したことを特徴とする電動調理器。
【請求項２】
前記容器台に、前記ボトル外周に形成したネジ部が螺合するネジ部を形成し、前記上下動部材を、前記容器台のネジ部と前記パッキンとの間に配設したことを特徴とする請求項１記載の電動調理器。
【請求項３】
前記上下動部材の上端部は、前記ボトルの回転方向に対し中央位置が最も高くなるように形成したことを特徴とする請求項２記載の電動調理器。
【請求項４】
前記上下動部材の上端部は、前記ボトルを装着する際にボトル底面と接触する側を長く形成したことを特徴とする請求項３記載の電動調理器。
【請求項５】
前記上下動部材を上方に付勢する弾性体を設けたことを特徴とする請求項３に記載の電動調理器。
【請求項６】
前記中間操作体と前記本体との間をシールするパッキンを設けたことを特徴とする請求項１記載の電動調理器。
【請求項７】
前記操作体を上方に付勢する弾性体を設け、前記中間操作体と操作体との間に介在させた弾性体の付勢力を、前記操作体を上方に付勢する弾性体の付勢力より強く設定したことを特徴とする請求項２記載の電動調理器。
【発明の詳細な説明】
【技術分野】
【０００１】
本発明は、電動調理器に関する。
【背景技術】
【０００２】
従来、電動機と電動機の駆動を阻止する常開の安全スイッチを有する本体と、回転刃を有し、本体上に装着する容器台と、容器台に装着するボトルとを有し、ボトルを装着した容器台を本体に装着しなければ、安全スイッチが閉成されず、操作できないように構成された電動調理器が知られている（例えば、特許文献１参照）。
【０００３】
この電動調理器は、容器台とボトルとの間をシールするパッキンの下方に、ボトルを容器台に装着することにより下方に押し下げられる上下動部材を配設し、ボトルを装着した容器台を本体上に載置することにより、下方に移動した上下動部材によって安全スイッチを操作するように構成されている。
【０００４】
従って、ボトルを装着していない容器台を本体上に載置した状態では、安全スイッチが操作されず、回転刃が剥き出しの状態で電動機が回転する危険を防止することができるものである。
【特許文献１】実開平１−９２９４６号公報
【発明の開示】
【発明が解決しようとする課題】
【０００５】
しかしながら、上記従来の安全スイッチの動作機構では、使用者がパッキンを装着し忘れてボトルを容器台に装着した際には、上下動部材がパッキンを装着した際より下方まで押し下げられる。この状態の容器台を本体に装着すると、本体の安全スイッチを操作する中間操作体は、パッキンを装着した状態より下方位置まで押し下げられるため、安全スイッチに大きな付勢力を与え、安全スイッチが破損する虞があるものであった。
【０００６】
本発明は上記欠点に鑑みなされたもので、使用者がパッキンを装着し忘れた場合でも、安全スイッチに大きな力が加わるのを防止することのできる電気調理器を提供することを課題とする。
【課題を解決するための手段】
【０００７】
上記課題を解決するため、本発明の電動調理器は、電動機と電動機の駆動を阻止する常開の安全スイッチを有する本体と、回転刃を有し、前記本体上に着脱自在に装着される容器台と、該容器台に着脱自在に装着されるボトルと、前記容器台に装着され、容器台とボトル底面との間をシールするパッキンとを備え、前記容器台に、前記ボトルの着脱操作に応じてボトル底面により押し下げられる上下動部材を設け、前記本体には、前記容器台に装着されたボトルにより下方に押し下げられた上下動部材により操作されて前記安全スイッチを閉成する容器検知機構を設け、前記容器検知機構は、前記上下動部材下部が当接して上下動する中間操作体と、該中間操作体の上下動に応じて上下動し前記安全スイッチを操作する操作体と、前記中間操作体と前記操作体との間に介在する弾性体とから構成したことを特徴とする。
【０００８】
前記容器台に、前記ボトル外周に形成したネジ部が螺合するネジ部を形成し、前記上下動部材を、前記容器台のネジ部と前記パッキンとの間に配設することが好ましい。
【０００９】
前記上下動部材の上端部は、前記ボトルの回転方向に対し中央位置が最も高くなるように形成することが好ましい。
【００１０】
前記上下動部材の上端部は、前記ボトルを装着する際にボトル底面と接触する側を長く形成することが好ましい。
【００１１】
前記上下動部材を上方に付勢する弾性体を設けることが好ましい。
【００１２】
前記中間操作体と前記本体との間をシールするパッキンを設けることが好ましい。
【００１３】
前記操作体を上方に付勢する弾性体を設け、前記中間操作体と操作体との間に介在させた弾性体の付勢力を、前記操作体を上方に付勢する弾性体の付勢力より強く設定することが好ましい。
【発明の効果】
【００１４】
本発明の請求項１記載の構成によれば、ボトルを装着しない容器台を本体に装着した状態での電動機の駆動を防止して回転刃が露出した状態で運転する危険を防止することができる。また、パッキンを装着し忘れて容器台にボトルを装着した際に、中間操作体がパッキンを取り付けた際よりも下方に押し下げられても、弾性体が収縮することによって操作体が安全スイッチを強く押圧するのを抑制して安全スイッチの破損を防止することができる等の効果を奏する。
【００１５】
本発明の請求項２の構成によれば、上下動部材は、パッキンよりも外周側に位置しているので、上下動部材が邪魔になって容器台とボトルとの間で液漏れが生じることがない。また、上下動部材はネジ部に近接した位置に配設されるので、上下動部材の上端部に触れようとしてもネジ部に当接して上下動部材の上端部に触れにくく、従って、誤って上下動部材を押し下げる危険性を抑制することができる等の効果を奏する。
【００１６】
本発明の請求項３の構成によれば、上下動部材の上端部はボトルの回転方向に対して中央位置が最も高くなるように形成しているので、ボトル底面との接触抵抗が小さくなり、上下動部材をスムーズに上下動させることができる等の効果を奏する。
【００１７】
本発明の請求項４の構成によれば、上下動部材の上端部はボトルを装着する際にボトル底面と接触する側を長く形成しているので、上下動部材を押し下げる際にボトル底面との接触抵抗が小さくなり、上下動部材をスムーズに下動させることができ、ボトルの装着作業の抵抗を小さくすることができる等の効果を奏する。
【００１８】
本発明の請求項５の構成によれば、上下動部材は上端部を中央部分が高くなるように形成し、上下動部材を上方に付勢する弾性体を設けているので、上下動部材上端部に指をかけて押し下げようとすると、指が痛くなって上下動部材を押し下げにくくなり、上下動部材が不用意に押し下げられるのを防止することができる等の効果を奏する。
【００１９】
本発明の請求項６記載の構成によれば、中間操作体と本体との間をシールするパッキンを設けているので、本体と中間操作体との隙間から液体等が浸入するのを防止することができ、安全スイッチ周辺でのショート等を防止することができる等の効果を奏する。
【００２０】
本発明の請求項７の構成によれば、中間操作体と操作体との間に介在させた弾性体の付勢力を、操作体を上方に付勢する弾性体の付勢力よりも強く設定したので、中間操作体が押し下げられた際に、操作体を上方に付勢する弾性体の付勢力に抗して操作体を確実に押し下げることができる等の効果を奏する。
【発明を実施するための最良の形態】
【００２１】
本発明をミキサーに用いた一実施形態を図１乃至図５に基づいて以下に説明する。
【００２２】
図１はミキサーの外観斜視図、図２はボトルを装着した容器台を本体に装着した状態の断面図、図３は同要部拡大断面図、図４はボトルを取り外した容器台を本体に装着した状態の他の方向から見た要部拡大断面図、図５は容器台内部の斜視図である。
【００２３】
図において、１は本体、２は前記本体１上に着脱自在に装着される合成樹脂製の容器台、３は前記容器第２に着脱自在に装着されるガラスまたは合成樹脂にて形成される透明なボトルで、容器台２にボトル３を装着することで容器を構成している。４は前記ボトル３に着脱自在に装着され、前記ボトル３の上面開口を閉塞する合成樹脂製の蓋体である。
【００２４】
次に、前記本体１について説明する。前記本体１は、電動機５を内蔵し、該電動機５に連結されるカップリング６を上面に位置させると共に、前記電動機５を制御するスイッチ７と、前記電動機５の駆動を阻止する容器検出機構８を備えている。前記本体１は、上面に突出部９を複数形成しており、該突出部９により前記容器台２を所定の位置に位置決めして装着するようになっている。前記突出部９近傍に突出部９との間に指が入らない狭い隙間１０を有するように突部１１が突出形成され、前記隙間１０に前記容器検出機構８の後述する中間操作体１８が露出している。
【００２５】
前記容器検出機構８を詳述する。前記容器検出機構８として、前記本体１側には、前記隙間１０に対応する位置に貫通孔１２が形成され、該貫通孔１２周縁には前記本体１上面から下方に向かって筒状部１３が垂設されている。１４は前記筒状部１３下方位置に固定される取付部材で、前記筒状部１３と同心状の収納筒部１５を有し、該収納筒部１５上部が前記筒状部１３外周に嵌合し、下部には安全スイッチ１６が装着される取付座１７が形成されている。
【００２６】
１８は前記収納筒部１５内に中空筒部１９を収納した中間操作体で、上部が前記貫通孔１２を介して前記隙間１０に突出している。２０は前記筒状部１３と収納筒部１５との間に下部を挟持したパッキンで、前記本体１の貫通孔１２周縁と中間操作体１８との間をシールするようになっている。
【００２７】
２１は前記収納筒部１５内に収納された操作体で、下部が前記収納筒部１５下部に形成された開口から下方に突出し、下方に押し下げられた際に前記安全スイッチ１６を操作するようになっている。２２は前記操作体を上方に向かって付勢する第１弾性体で、本実施形態では、コイルスプリングを用いているが、これに限られるものではない。
【００２８】
２３は前記中間操作体１８の中空筒部１９内に収納される第２弾性体で、前記中間操作体１８と前記操作体２１との間に介在され、中間操作体１８が下方に押し下げられた際、前記操作体２１を押し下げるようになっている。前記第２弾性体２３は、前記第１弾性体２２の弾性力より強く形成されており、前記中間操作体１８が下方に押し下げられた際、第１弾性体２２の弾性力に抗して操作体２１を確実に押し下げることができるようになっている。また、前記第２弾性体２３は、前記中間操作体１８の中空筒部１９内径より少許小径に形成されて中空筒部１９内に収納されているので、スムーズに伸縮でき、確実に操作体２１を操作することができる。尚、前記第２弾性体は、本実施形態ではコイルスプリングを用いているが、これに限られるものではない。
【００２９】
次に、前記容器台２について説明する。２４は前記容器台２上面中央に回転自在に軸支された回転刃で、回転軸２５下部に装着されたカップリング２６が前記本体１側のカップリング６に噛み合い、前記電動機５の回転により回転するようになっている。２７は前記容器台２周縁に形成された雌ねじ部で、前記ボトル３下部に形成された雄ねじ部２８が螺合され、ボトル３を固定するようになっている。２９は前記容器台２底面に形成された環状溝３０に着脱自在に配設されるパッキンで、前記容器台２底面と前記ボトル３底面との間をシールするようになっている。
【００３０】
次に、前記容器検出機構８として、容器台２側の構成を詳述すると、３１は前記容器台２に取り付けられた支持部３２により上下動自在に支持された上下動部材で、上部が容器台２底面に形成された孔３３を介して前記雌ねじ部２７とパッキン２９との間に突出している。前記上下動部材３１の上端部は、前記ボトル３の回転方向に対して中央部分が最も高くなるように両側を傾斜させて、上端部が尖った形状になるように形成している。また、前記上下動部材３１の上端部は、前記ボトル３を容器台２に取り付ける方向に回動した際にボトル３底面と接触する面３１ａを、ボトル３を外す際にボトル３底面と接触する面３１ｂより長く形成している。３４は前記上下動部材３１を上方向に付勢する第３弾性体で、比較的弾性力を強く形成している。尚、第３弾性体３４は、本実施形態ではコイルスプリングを用いているが、これに限られるものではない。
【００３１】
而して、容器台２にボトル３を螺合して固定すると、ボトル３底面により上下動部材３１が押し下げられる。この状態で、容器台２を本体１上に載置すると、上下動部材３１の下端が中間操作体１８の上端に当接して中間操作体１８を押し下げる。中間操作体１８が押し下げられると、第２弾性体２３が第１弾性体２２の付勢力に抗して操作体２１を押し下げ、操作体２１が安全スイッチ１６を閉成して、電動調理器が駆動可能状態となる。この状態で、スイッチ７を操作し、容器台２とボトル３で構成される容器内に投入した材料を調理する。
【００３２】
上下動部材３１は、パッキン２９より外周側に位置しているので、パッキン２９による容器台２底面とボトル３底面とのシールに影響を与えることがなく、液漏れを生じることはない。
【００３３】
上下動部材３１は第３弾性体３４により上方に付勢しているため、ボトル３を容器台２に螺合する際の抵抗となり、特にボトル３を容器台２に装着する際の抵抗となるが、  上下動部材３１の上端部は、ボトル３を容器台２に取り付ける方向に回動した際にボトル３底面と接触する面３１ａを、ボトル３を外す際にボトル３底面と接触する面３１ｂより長く形成しているので、ボトル３底面との接触抵抗を低減でき、上下動部材３１の上下動をスムーズに行うことができると共に、ボトル３の着脱操作性が低下するのを抑制することができる。
【００３４】
容器台２を本体１から取り外した状態では、中間操作体１８が本体１上面に突出するが、中間操作体１８は指等が挿入できない程度の狭い隙間１０内に位置しているので、誤って押し下げられることはなく、運転可能状態となる危険性を防止することができる。
【００３５】
ボトル３を装着せずに容器台２のみを本体１に載置した状態で、上下動部材３１を指等で操作しようとする際には、上下動部材３１は、雌ねじ部２７近傍に位置しているため、指等は雌ねじ部２７に引っ掛かって上下動部材３１上端部に当たりにくく、上下動部材３１を押し下げる危険性は非常に小さいものとなる。
【００３６】
さらに、上下動部材３１は、上端部が尖った形状に形成されており、上下動部材３１を上方に付勢する第３弾性体３４の付勢力も強く形成しているので、上下動部材３１の上端部に指を被かけて押し下げようとしても、指が痛くなり、上下動部材３１を押し下げるに至らなくなり、回転刃２４が露出した状態で運転可能状態となる危険性を防止することができる。
【００３７】
使用者が誤ってパッキン２９を装着し忘れて容器台２にボトル３を螺合した場合には、上下動部材３１はパッキン２９を装着した状態よりも下方位置まで押し下げられる。この状態で、容器台２を本体１に装着すると、中間操作体１８もパッキン２９を装着した状態よりも下方位置まで押し下げられ、操作体２１をパッキン２９を装着した状態よりも強く安全スイッチ１６に押し付けようとするが、中間操作体１８と操作体２１との間に第２弾性体２３を介在させているため、第２弾性体２３が収縮して操作体２１が安全スイッチ１６を強く押すのを抑制し、安全スイッチ２１の破損を防止する。
【図面の簡単な説明】
【００３８】
【図１】本願発明の電動調理器の外観斜視図である。
【図２】同ボトルを装着した容器台を本体に装着した状態の断面図である。
【図３】同要部拡大断面図である。
【図４】同ボトルを取り外した容器台を本体に装着した状態の他の方向から見た要部拡大断面図である。
【図５】容器台内部の斜視図である。
【符号の説明】
【００３９】
１          本体
２          容器台
３          ボトル
５          電動機
１６          安全スイッチ
１８          中間操作体
２０          パッキン
２１          操作体
２２          第１弾性体
２３          第２弾性体
２４          回転刃
２７          雌ねじ部
２８          雄ねじ部
２９          パッキン
３１          上下動部材
３４          第３弾性体
【図１】
2009112546.tif 000003
【図２】
2009112546.tif 000004
【図３】
2009112546.tif 000005
【図４】
2009112546.tif 000006
【図５】
2009112546.tif 000007